(57)【要約】      （修正有）【課題】  主に木造住宅に使用する乾式タイル工法であって、タイル本体に目地加工を施すと共に、一枚のタイルを横張りと縦張りを兼用して使用することを可能とする。【解決手段】  乾式タイル本体の裏面側に、タイルとタイル施工用下地材との結合のための加工を裏面側平坦部より突出した形状で部分的あるいは水平方向と平行な直線的に設ける。またタイル本体に目地用の帯状突起部と縦目地用突起部を設け、双方のもう一方側にはその突起部を受け入れる欠損部を設ける。さらにタイル裏面に設ける下地材との結合のための突出部を、一定の間隔・形状で配置することで、一枚のタイルを縦張り横張りの両方に兼用する。【選択図】  図１
2006322294.tif 000002
【特許請求の範囲】
【請求項１】
主に木造住宅の外装用乾式タイルであって、乾式タイル本体仕上げ面の裏面側にタイル施工用下地材との結合のための加工をタイル裏面の平坦部よりも突出させた形で部分的あるいは直線的に形成しているところを特徴とする乾式タイル。
【請求項２】
タイルの長辺方向及び短辺方向のそれぞれ一方側に、直線的な帯状のタイル目地用突起部を設け、双方のもう一方側にはその突起部を受け入れるための欠損部を設け形成しているところを特徴とする乾式タイル。
【請求項３】
乾式タイル本体仕上げ面の裏面側にタイル施工用下地材との結合のための加工をタイル裏面の平坦部よりも突出させた形で、部分的に一定の決められた間隔・大きさ及び形状で配置し、それを施工するための下地材とを組み合わせることにより、一枚のタイルを横張りにも縦張りにも施工することが可能とするところを特徴とする乾式タイル。
【発明の詳細な説明】
【発明の詳細な説明】
【技術分野】
【０００１】  本発明は、乾式タイル工事の仕上げ材であるタイル本体の裏面側に、部分的にあるいは直線的にタイル裏面の平坦部よりも突出させた凸部を設け、これを取り付けるための下地材の凹部とを組み合わせて接着剤と共に張り付けるところの乾式タイルであって、一枚のタイルが横張り用にも縦張り用にも使用できるようにしたことに併せて、長辺方向及び短辺方向の一方側にタイル目地に見せるための帯状の凸部を衣装的に設け、またその反対側の双方にはその凸部を受け入れるための凹部を設けたことを特徴とする。
【背景技術】
【０００２】  乾式タイル工法にはタイルを張るための下地材が存在する。従来の乾式タイル工法では、その下地材とタイルとの組み合わせ方法にタイル本体仕上げ面の裏面側に凹状の欠損部を直線的に形成し、その凹状の欠損部に結合するように合わせた形状の直線的な帯状の突起を下地材の表面側に設けて作成した専用の下地材との組み合わせによって施工するものが一般的であった。この事から従来の乾式タイルの形状では、仕上げ材であるタイル本体の裏面側に帯状の欠損部があるため、欠損部におけるタイルの厚みはタイル本体の厚みから下地材の突出した厚み分を削り取る形になっていたため部分的に薄い厚みに構成されており、下地材においてはタイルの欠損部に合わせた形状の直線的な帯状の突出部を有した特殊なものとなっていた。【０００３】  また従来の乾式タイルでは、タイルの張り上がった状態で見たときにタイルとタイルとの上下間にタイル目地に見せた凹状の欠損部が直線的に設けて見えるが、タイルとタイルの左右間にそれはなく、一部に設けて見えるものがあってもタイル上下間の欠損部とは異なる形状のものでしかなく、衣装的に同一のものには見えにくい。【０００４】  さらに従来の乾式タイルでは、平坦な壁面に水平に横張りで施工するための基本材いわゆる平材と称するものと、開口部の上下部や建物の軒天部に縦張り用として用いるための縦張り材とがあり、工事発注時はこの両方をそれぞれ発注しなくてはならず、双方の転用は出来ないものであった。従来の乾式タイルのほとんどはタイル裏面に欠損部を有して構成されており、それが平材と縦張り材とを共通の形状では製作しずらい要因でもあった。
【発明が解決しようとする課題】
【０００５】  乾式タイル工法を施工するための下地材は不燃材で構成されたものでなくてはならず、タイルを張り合わせた状態での総合的には建築基準法の防火構造基準を満たす必要がある。さらに下地材の表面側にはタイルを容易に張り付けるための工夫が必要となり、現在ではこうした課題を解決した乾式タイルを施工するための専用下地材がある。しかしこれら乾式タイルのほとんどがタイル本体仕上げ面の裏側に凹状の欠損部を形成したものであり、これらのタイルはそれ専用の下地材との組み合わせによってのみ施工可能なものであって、乾式タイルの下地材は下地材の表面側に直線的な帯状の突出部を有したそれ専用の特殊品扱いになっている。
【０００６】  従来の乾式タイル本体の仕上げ面裏側の凹状欠損はタイル施工を容易にするためのものであり、タイルと下地材を組み合わせるための重要な役割を持っている。しかしこの欠損部におけるタイルの厚みはタイル本体の厚みから一般的に５ｍｍ〜７ｍｍ程度薄く形成されており、それはタイル焼成時におけるタイル本体のソリや歪みの要因になる。またその薄く形成された部分は外力等による衝撃にも強度的な弱点がある。
【０００７】  また従来の乾式タイルは、タイル本体仕上げ面の上部側に長辺方向と平行に巾が約１０〜１２ｍｍ、厚さ約６〜８ｍｍ程度の直線的な帯状の突起をタイル仕上げ面よりも５ｍｍ〜７ｍｍ程度後退させた状態で設けてあり、タイル下部側の仕上げ面裏側にはその突起部を受け入れるための欠損部を同じくタイルの長辺方向と平行にかつ直線的に設けてある。従ってこれらのタイルを施工し張り上がった状態で見ると、タイルとタイルとの上下間に巾８ｍｍ〜１０ｍｍ、深さ５ｍｍ〜７ｍｍ程度の水平で直線的な欠損部が形成され、衣装的にタイル目地のいわゆる横目地として見える。しかしこの仕組みはタイルとタイルの左右間、いわゆる縦目地と称されるものにはなく、これはタイルの裏面側に下地材と結合するための欠損部を有することで短辺方向にはこれら長辺方向と同様の衣装的工夫を形成することが出来なかった。
【０００８】  さらに従来の乾式タイルは、横張り用の基本的形状であるいわゆる平材と縦張り時に使用するための縦平材とは全く別な種類であり、一枚のタイルで両方を兼ねるような形状にはなっていなかった。これも下地材とタイルとの組み合わせのための形状が大きな要因となっており、タイル裏面側に大きな欠損部で構成しているところに課題があった。
【０００９】  そこで本発明では、乾式タイル本体仕上げ面の裏側に従来の欠損部で構成する形状とは異なる突起した形状の加工に変えることによって、タイル焼成時の反りや歪みの要因を減少させ、タイル本体の外力等の衝撃に対する強度を増し、またそのタイル裏面に設ける突起した加工形状の大きさや設置及び間隔を工夫することで、一般的に市販されている外装材との組み合わせを可能とし乾式タイルの下地材を特殊品とせずに普及品を利用出来るようにする。さらに従来の乾式タイルの張り上がり時にあるタイルとタイルとの上下間に出来る水平で直線的な欠損部で構成するいわゆる横目地に加え、タイルとタイルの左右間にも上下間と同様の欠損部いわゆる縦目地を衣装的に構成することが出来、また一枚のタイルで横張り用である平材にも縦張り用の縦平材にも兼ね併せて使用することが出来るようにすることを目的とする。
【課題を解決するための手段】
【００１０】  前記の目的を達成し課題を解決するため、本発明は乾式タイルのタイル本体仕上げ面の裏面側に裏面側の平坦な部分よりも突出させた突起形状を部分的あるいは直線的に設ける。この突起の大きさや配置数及び配置間隔は、タイル本体の大きさやタイルを施工するための下地材の凹部の形状及び間隔等によって決まる。
【００１１】  さらにタイル本体仕上げ面長辺方向の上部側及び短辺方向の二方の内の一方側に、タイル本体の厚みより薄く形成した直線的な帯状の突起部を各辺とそれぞれ平行にタイル仕上げ面より後退させて設け、その帯状の突起部の裏面とタイル本体の裏面とを平坦にする。またタイル本体仕上げ面長辺方向の下部側及び短辺方向二方の内の突起部を設けた反対側のもう一方側に前記突起部を受け入れるための構造の欠損部を設ける。
【作用】
【００１２】  乾式タイル本体仕上げ面の裏面側に裏面側の平坦な部分よりも突出させた突起形状を部分的あるいは直線的に設けることにより、タイル焼成時におけるソリや歪みの要因を減少させ、タイル本体の強度を補強することが出来る。またタイル裏面側の突起形状を市販される不燃防火外装材の凹部に合わせた形状・大きさ及び配置間隔で設けることにより、乾式タイル用の下地材を特殊な専用の下地材ではなく一般に市販されている不燃防火外装材を利用して施工することが可能となる。
【００１３】  また、タイル本体仕上げ面長辺方向の上部側及び短辺方向二方の内の一方側に、タイル本体の厚みより薄く形成した直線的な帯状の突起部を突起部の裏面とタイル本体の裏面とを平坦にタイル本体仕上げ面より後退させた形で各辺とそれぞれ平行に設け、さらにタイル本体仕上げ面長辺方向の下部側及び短辺方向二方の内の突起部設けた反対側のもう一方側に、前記帯状突起部を受け入れるための欠損部を各辺と平行に設けることにより、タイルと下地材とを組み合わせて張り上げた美観的な状態において、タイルとタイルの上下間に水平に形成された横目地に加え、タイルとタイルの左右間にも垂直に縦目地が形成されることが可能となる。
【００１４】  また、このタイル本体仕上げ面の裏面側に設ける突出した部位の形状・大きさ及び配置間隔を、予め施工しようとする外装材の凹部に合わせて工夫し形成することにより、一枚のタイルを横張り用にも縦張り用にも転用して使えるようにすることが可能となる。
【実施例】
【００１５】  以下、添付図面に基づいて本発明の実施例を説明する。
図１及び図２は本発明に係る乾式タイル本体の形状を実例として説明した図である。図３は従来の乾式タイル施工例と本発明に係る乾式タイル施工例の張り上がり姿図と断面図を比較説明した図である。図４は様々な市販外装材の形状と本発明のタイルとを組み合わせた例の断面図である。【００１６】  図１は本発明に係る乾式タイルの実例図であり、仕上げ面正面図（Ａ）を中心として右に右側面図（Ｂ）、上下に上部平面図（Ｃ）と下部平面図（Ｄ）を配置している。アは乾式タイル本体の正面仕上げ面で、キがタイル裏面の平坦部でありカが裏面平坦部より突出させた形状のタイル施工用下地材との結合のための加工である。この突出部は個々に独立して配置されているが、これは〔請求項３〕にある一枚のタイルで横張り用と縦張り用とを併用して使用するための工夫であり、併用の必要性のない場合は上部平面図（Ｃ）及び下部平面図（Ｄ）にある独立したそれぞれの突出部を一列に繋いだ直線的な形状になっても良い。但しこの場合においても右側面図（Ｂ）にあるように突出部の上下間における独立性は保たなければならず、上下間においては直線的に繋いではならない。
また〔請求項２〕にあるタイル間の横目地及び縦目地において、イがウに結合することによって横目地が構成され、エとオとが結合することで縦目地が構成される。【００１７】  図２は図１で説明した本発明による乾式タイル本体実例の裏面を説明した図である。仕上げ面裏面正面図（Ｅ）を中心に右に裏面から見た右側側面図（Ｆ）を配置しているがこれは正面から見た左側側面図である。また上に裏面から見た上部平面図（Ｇ）と下に裏面から見た下部平面図（Ｈ）を配置しているが、これは図１の正面から見た上部平面図と下部平面図を反転した図になっており重複している。【００１８】  この図２で重要なのは、タイル裏面に設けたタイル施工用下地材との結合のための突出部カの配置についてであり、これは〔請求項３〕の説明となる。仕上げ面裏面正面図（Ｅ）を見ると突出部カはそれぞれ独立してた形で予め決められた間隔ａとｂで配置されている。このａ寸法とｂ寸法を同じ寸法にすることにより同一の下地上において本タイルを横張りと縦張りを兼用して使用できることになる。図３の断面図（Ｌ）が本発明によるタイルを横張りした時の施工例断面図である。しかしこの独立した突出部はａ  間隔で並べてある部分を横一列につなげて製作することにより横張り専用タイルとなり、またｂ間隔の縦に並べてある部分をつなげて製作すると縦張り専用タイルとなり、その製作方法は自由である。【００１９】  図３は従来の乾式タイル施工例と本発明に係る乾式タイル施工例の張り上がり姿図と断面図を比較説明した図である。（Ｉ）と（Ｊ）は従来の乾式タイルの説明図であり（Ｋ）と（Ｌ）は本発明による乾式タイルの説明図である。まず双方の断面図を比較すると、従来型の断面図（Ｊ）のク及び本発明による断面図（Ｌ）のクは互いにタイルと下地材とを結合させるための下地材の突出部であるが、従来型の断面図（Ｊ）はその突出部をタイル側に欠損部を作り下地材の突出部がタイル裏面平坦部キよりタイル内部に入り込んで納める構造となっている。これに対し本発明によるタイルである断面図（Ｌ）は、タイル裏面平坦部キより突出させた形状で突出部カを作り、下地材突出部クに対してタイル本体裏面平坦部キはあくまでもクと同じ位置にあり、タイル側の突出部カが下地材内部に入り込んで納まる構造となっている。【００２０】  この二つの構造の違いは正面姿図（Ｉ）と（Ｋ）の違いになっている。（Ｉ）は従来型のタイル張り上がり正面図の部分図であり（Ｋ）は本発明によるタイル張り上がり正面図の部分図であるが、まず従来型の図（Ｉ）と（Ｊ）で説明すると、タイル横目地部ケを構成するための突起部イがタイル上部に設けられている。これに関しては従来型も本発明によるタイルも同じである。しかし従来型の断面図（Ｊ）では下地材の突出部クがタイル裏面平坦部キよりもタイル内部に入り込み、イ部を垂直に降ろしたラインより内部側に入り込んでいることが分かる。これに対し本発明による断面図（Ｌ）では下地材突出部クの表面がタイル裏面平坦部キと同じ位置にあるため、イ部を垂直に降ろしたラインには全く入り込んでいない。これにより本発明によるタイルには図１及び図２にある縦目地を構成するためのタイル側面突出部エを形成することが出来、本発明に��るタイル張り上がり正面図（Ｋ）にある縦目地サを構成することが出来る。従来型の縦目地は図（Ｉ）のコにあるようにタイルとタイルとを合わせただけの合わせ目を縦目地としていたものが主流であった。【００２１】  また、従来型のタイルと本発明に係るタイルのタイル一枚当たりの容積比、すなわち重量比を比べてみる。図３の断面図（Ｊ）と（Ｌ）で比較すると明らかに本発明に係るタイルが従来型のタイルに比べて容積が大きいことが分かる。しかしタイル焼成時のソリや歪み、及びタイル本体の強度に重要な関係を持つタイル表面アから下地材突出部クの表面までの厚みである断面図（Ｊ）のス部及び（Ｌ）のセ部において重点的に考えてみる。従来型の断面図（Ｊ）において、下地突出部クの突出厚は通常５ｍｍ程度であるのでスはタイル本体厚シより６ｍｍ程度薄く形成される。従ってシ部が仮に１６ｍｍであるとするとス部は１０ｍｍとなる。これに対し本発明に係るタイルは、タイル本体に欠損部を作らない構造のため通常では従来型に比べ容積は大きくなるが、タイル裏面突出部カを図２の裏面正面図（Ｅ）を参照に連続しない独立したものと考え、独立した全ての突出部を容積的に計算するとタイル本体の厚みの１ｍｍ強に相当する。また従来のタイル断面図（Ｊ）のタイル裏面欠損部を算出しタイル本体の厚みに概算で換算すると２ｍｍ強となり、この二つを合計すると３．５ｍｍ〜４．０ｍｍとなる。従って図３の断面図（Ｌ）にある本発明のタイルを（Ｊ）の従来型タイルと同じ容量で製作するには、（Ｊ）のシ部を１６ｍｍであると仮定した場合（Ｌ）にあるセ部は１２．０ｍｍ〜１２．５ｍｍになる。こうして改めて比べると、タイル本体の厚みを１６ｍｍであると仮定した場合、従来型タイルのス部は約１０ｍｍとなり本発明によるタイルは同じ容積で製作することにしてもタイル本体の厚みセ部を１２ｍｍにすることで同じとなる。これにより本発明のタイルは従来型タイルに比べ容積を同じに製作した場合においてもタイル本体の強度を増加させることになる。【００２２】  図４は様々な形状の下地材に対し本発明によるタイルを形状を変更し組み合わせた施工例断面である。乾式タイルの下地材に防火認定を持つ市販の外装材を利用することにより、乾式タイルの下地材が専用の特殊品ではなく一般材にすることでコストが安くなる。これには乾式タイル本体をその下地材に合う寸法や形状に製作する必要がある。しかしこの場合でも重要なことは、下地材とタイルとを結合させる工夫が必要であり、すでに市販された外装材に加工を加えることはコスト的に困難である。そこでタイル本体を製作するに当たり、本発明にあるタイル裏面にタイル裏面平坦部キよりも突出させた突出部カを部分的あるいは水平方向に直線的に下地材の凹部の間隔に合わせて設けることにより、その下地材に合った乾式タイルを作成することが出来る。従って本発明においてはタイルの形状や寸法は自由であり下地材の形状も特定しない。重要なことは、タイル裏面の平坦部より突出させた突出部を部分的あるいは水平方向に直線的に設けた構成でタイルを製作するところにある。これにより様々な市販されている防火不燃材を乾式タイルの下地材として利用することが可能となる。
【発明の効果】
【００２３】  本発明に係る乾式タイルは、乾式タイル施工用下地材とタイル本体との結合部の加工をタイル本体仕上げ面の裏面側平坦部より突出した形状で部分的あるいは水平方向に直線的に設けた。
これによりタイル本体長辺方向の一方側及び短辺方向の一方側に衣装的にタイル目地に見せるための直線的な帯状の突出部を形成することが出来るようになり、従来の乾式タイルにあった衣装的な横目地に加え縦目地も構成することが可能となる。
またこの突出部を形成することにより従来の乾式タイルにあったタイル内部に及ぶ欠損部を作ることなく、タイル本体の強度を増すことになったことに合わせ、タイル焼成時におけるソリや歪みの要因を減少させることになる。
また市販されている外装用防火不燃材の凹部に合わせた形状及び設置間隔で構成した突出部を有するタイル本体を製作することにより、市販されている外装用防火不燃材を乾式タイルの下地材として利用することが可能となる。
さらにタイル裏面に設ける突出部を部分的に独立したものとし、その配置間隔を下地材の凹部に合わせて水平方向及び垂直方向に規則正しく一定の間隔で設けることにより、乾式タイルにおいて一枚のタイルを横張り用にも縦張り用にも兼用して使えるようにすることを可能とした。
【図面の簡単な説明】
【図１】  本発明に係る乾式タイルの実例図であり、仕上げ面正面図（Ａ）を中心として右に右側側面図（Ｂ）、上下に上部平面図（Ｃ）と下部平面図（Ｄ）を配置している。
【図２】  図１で説明した本発明に係る乾式タイル本体実例の裏面を説明した図である。仕上げ面裏面正面図（Ｅ）を中心に右に裏面から見た右側側面図（Ｆ）上に裏面から見た上部平面図（Ｇ）と下に裏面から見た下部平面図（Ｈ）を配置している。
【図３】  従来の乾式タイル施工例と本発明に係る乾式タイル施工例の張り上がり姿図と断面図を比較説明した図である。
【図４】  本発明によるタイルを様々な形状の下地材に適合するように製作した場合の施工例断面である。
【符号の説明】
ア      乾式タイル本体仕上げ面表面
イ      タイル本体の長辺方向にあるタイル目地を構成するための突出部
ウ      タイル本体の長辺方向にあるタイル目地を構成するための突出部を受け入れるための欠損部
エ      タイル本体の短辺方向にあるタイル目地を構成するための突出部
オ      タイル本体の短辺方向にあるタイル目地を構成するための突出部を受け入れるための欠損部
カ      乾式タイル本体裏面にある下地材と結合するための突出部
キ      乾式タイル裏面の平坦部
ク      下地材の凸部
ケ      タイルの横目地
コ      タイルの縦目地
サ      従来型乾式タイル本体部の厚み
シ      従来型乾式タイル欠損部の厚み
ス      本発明乾式タイル本体部の厚み
【図１】
2006322294.tif 000003
【図２】
2006322294.tif 000004
【図３】
2006322294.tif 000005
【図４】
2006322294.tif 000006